(57)【要約】【課題】  低コストで正確な携帯端末の故障診断を行えるようにした上に、迅速な修理を可能にする。【解決手段】  販売店に設置されている販売店端末は、携帯電話機に直接接続された、携帯電話機から、故障診断に必要な情報を受信して、受信した情報を、通信ネットワークを介して故障診断サーバに送信する。故障診断サーバは、販売店端末から受信した情報にもとづいて故障診断を実行して、診断結果を販売店端末に送信する。販売店端末は、故障診断サーバから診断結果を受信すると、その診断結果および故障依頼を、通信ネットワークを介して修理センタ端末に送信する。【選択図】  図４
2006244215.tif 000002
【特許請求の範囲】
【請求項１】
携帯端末に故障が生じているか否か判断するとともに、故障が生じていると判断した場合には修理を行うための支援を行う携帯端末の故障修理支援方法において、
携帯端末に直接接続された販売店端末が、携帯端末から、故障診断に必要な情報を受信して、受信した情報を、通信ネットワークを介して故障診断サーバに送信し、
前記故障診断サーバが、前記販売店端末から受信した情報にもとづいて故障診断を実行して、診断結果を前記販売店端末に送信し、
前記販売店端末が、診断結果を受信すると、その診断結果および故障依頼を、通信ネットワークを介して修理センタ端末に送信する
ことを特徴とする携帯端末の故障修理支援方法。
【請求項２】
販売店端末が、入力部から不具合内容が入力された場合には、その不具合内容も故障診断サーバに送信し、
故障診断サーバは、前記販売店端末から受信した情報および前記不具合内容にもとづいて故障診断を実行する
請求項１記載の携帯端末の故障修理支援方法。
【請求項３】
携帯端末が、不具合が発生する度に、通信ネットワークを介して不具合内容を故障診断サーバに送信し、
前記故障診断サーバが、受信した不具合内容を蓄積し、
前記故障診断サーバが、前記販売店端末から受信した情報および前記不具合内容にもとづいて故障診断を実行する
請求項１または請求項２記載の携帯端末の故障修理支援方法。
【請求項４】
携帯端末に故障が生じているか否か判断するとともに、故障が生じていると判断した場合には修理を行うための支援を行う携帯端末の故障修理支援システムにおいて、
通信ネットワークを介して受信した情報にもとづいて故障診断を実行する故障診断サーバと、
携帯端末に直接接続され、携帯端末から、故障診断に必要な情報を受信して、受信した情報を、通信ネットワークを介して前記故障診断サーバに送信する販売店端末と、
修理センタに設置された修理センタ端末とを備え、
前記故障診断サーバは、診断結果を通信ネットワークを介して前記販売店端末に送信する通信部を含み、
前記販売店端末は、診断結果を受信すると、その診断結果および故障依頼を、通信ネットワークを介して修理センタ端末に送信する通信部を含む
ことを特徴とする携帯端末の故障修理支援システム。
【請求項５】
販売店端末は、入力部を備え、入力部から不具合内容が入力された場合には、その不具合内容も故障診断サーバに送信し、
故障診断サーバは、前記販売店端末から受信した情報および前記不具合内容にもとづいて故障診断を実行する
請求項１記載の携帯端末の故障修理支援システム。
【請求項６】
携帯端末は、不具合が発生する度に、通信ネットワークを介して不具合内容を故障診断サーバに送信し、
前記故障診断サーバは、携帯端末から受信した不具合内容を蓄積するデータベースを有し、前記販売店端末から受信した情報およびデータベースに蓄積されている前記不具合内容にもとづいて故障診断を実行する
請求項４または請求項５記載の携帯端末の故障修理支援システム。
【請求項７】
携帯端末に故障が生じていると判断された場合に修理を行うための支援を行う携帯端末の故障修理支援プログラムであって、
コンピュータに、
携帯端末から、故障診断に必要な情報を受信して、受信した情報を、通信ネットワークを介して故障診断サーバに送信する処理と、
前記故障診断サーバから診断結果を受信する処理と、
診断結果を受信すると、その診断結果および故障依頼を、通信ネットワークを介して修理センタ端末に送信する処理と
を実行させるための故障修理支援プログラム。
【発明の詳細な説明】
【技術分野】
【０００１】
本発明は、携帯電話機などの携帯端末の故障の修理を効率的実行させるための携帯端末の故障修理支援システムおよび故障修理支援方法に関する。
【背景技術】
【０００２】
携帯電話機のユーザは、携帯電話機に故障が生じたと判断すると、一般に、携帯電話機を販売店に持ち込んで修理を依頼する。販売店の店員は、携帯電話機が持ち込まれると、携帯電話網運営会社や携帯電話機製造会社からあらかじめ支給されているマニュアルに従って、持ち込まれた携帯電話機が本当に故障しているか否か判断する。判断の結果が、ユーザの操作誤りなど、故障ではない原因によってユーザが不具合を感じているにすぎない場合には、その旨をユーザに説明して携帯電話機をユーザに返却する。判断の結果が、本当に故障しているということであれば、店員は、携帯電話機を引き取って、修理センタに携帯電話機を送付する。また、販売店に故障診断用の端末装置が設置され、その端末装置と修理センタの診断用サーバとが専用回線で接続されていることもある。その場合、携帯電話機が販売店に持ち込まれると、販売店の店員は、専用回線を介して診断用サーバから診断のための情報を故障診断用の端末装置にダウンロードし、ダウンロードした情報を用いて診断を行う。
【０００３】
しかしながら、ユーザが携帯電話機に故障が生じたと判断して携帯電話機を販売店に持ち込んだ場合に、販売店の店員が本当に故障しているか否か判断する場合には、判断にばらつきが生ずる可能性がある。その結果、店員が故障であると判断して修理センタに携帯電話機を送付した場合に、修理センタでは故障が再現しないということも生じ、不要な修理費用が発生するという問題がある。また、店員が専用回線を介して診断用サーバから診断のための情報をダウンロードするように構成されている場合には、新たな販売店を開くときに、一々専用回線を設置するといった設備費用がかかるという問題がある。
【０００４】
そのような問題を解決するために、販売店の端末装置と修理センタのサーバとをインターネットで通信可能に接続した故障診断システムが提案されている（例えば、特許文献１参照）。そのようなシステムでは、携帯電話機が販売店に持ち込まれると、修理センタの技術者がインターネットを介して販売店の端末装置に対して指示を出力する。そして、販売店の店員は、指示に従って診断作業を遂行する。
【０００５】
また、機器の故障を診断するために、故障した機器と診断用端末とを接続し、さらに、診断用端末と診断用サーバ（支援サーバ）とをインターネットで通信可能に接続した故障診断システムが提案されている（例えば、特許文献２参照）。そのようなシステムでは、診断用サーバは、診断用端末およびインターネットを介して機器からデータを吸い上げ、吸い上げたデータにもとづいて故障の診断を実行する。
【０００６】
【特許文献１】特開２００４−１６６１１５号公報（段落０００３−０００８、図１）
【特許文献２】特開２００４−２８７９０８号公報（段落０００６−０００７、図１）
【発明の開示】
【発明が解決しようとする課題】
【０００７】
ところが、携帯電話機などユーザが日常的に使用する携帯端末の場合には、正確な故障診断を行うとともに、迅速な修理を行って、修理後の携帯電話機をできるだけ早くユーザに返却することが重要である。迅速な修理を行ってユーザに携帯端末を早く返却しないと、ユーザが日常生活に支障を来す場合もあるからである。
【０００８】
そこで、本発明は、低コストで正確な携帯端末の故障診断を行える上に、迅速な修理を可能にすることができる携帯端末の故障修理支援システムおよび故障修理支援方法を提供することを目的とする。
【課題を解決するための手段】
【０００９】
本発明による携帯端末の故障修理支援方法は、携帯端末に故障が生じているか否か判断するとともに、故障が生じていると判断した場合には修理を行うための支援を行う方法であって、携帯端末に直接接続された販売店端末が、携帯端末から、故障診断に必要な情報を受信して、受信した情報を、通信ネットワークを介して故障診断サーバに送信し、故障診断サーバが、販売店端末から受信した情報にもとづいて故障診断を実行して、診断結果を販売店端末に送信し、販売店端末が、診断結果を受信すると、その診断結果および故障依頼を、通信ネットワークを介して修理センタ端末に送信することを特徴とする。
【００１０】
販売店端末が、入力部から不具合内容が入力された場合には、その不具合内容も故障診断サーバに送信し、故障診断サーバは、販売店端末から受信した情報および不具合内容にもとづいて故障診断を実行するように構成されていてもよい。そのような構成によれば、故障診断の精度がより向上する。
【００１１】
携帯端末が、不具合が発生する度に、通信ネットワークを介して不具合内容を故障診断サーバに送信し、故障診断サーバが、受信した不具合内容を蓄積し、故障診断サーバが、販売店端末から受信した情報および不具合内容にもとづいて故障診断を実行するように構成されていてもよい。そのような構成によれば、故障診断の精度がさらに向上する。
【００１２】
本発明による携帯端末の故障修理支援システムは、携帯端末に故障が生じているか否か判断するとともに、故障が生じていると判断した場合には修理を行うための支援を行う携帯端末の故障修理支援システムであって、通信ネットワークを介して受信した情報にもとづいて故障診断を実行する故障診断サーバと、携帯端末に直接接続され、携帯端末から、故障診断に必要な情報を受信して、受信した情報を、通信ネットワークを介して故障診断サーバに送信する販売店端末と、修理センタに設置された修理センタ端末とを備え、故障診断サーバは、診断結果を通信ネットワークを介して販売店端末に送信する通信部を含み、販売店端末は、診断結果を受信すると、その診断結果および故障依頼を、通信ネットワークを介して修理センタ端末に送信する通信部を含むことを特徴とする。
【００１３】
販売店端末が、入力部を備え、入力部から不具合内容が入力された場合には、その不具合内容も故障診断サーバに送信し、故障診断サーバが、販売店端末から受信した情報および不具合内容にもとづいて故障診断を実行するように構成されていてもよい。
【００１４】
携帯端末が、不具合が発生する度に、通信ネットワークを介して不具合内容を故障診断サーバに送信し、故障診断サーバが、携帯端末から受信した不具合内容を蓄積するデータベースを有し、販売店端末から受信した情報およびデータベースに蓄積されている不具合内容にもとづいて故障診断を実行するように構成されていてもよい。
【００１５】
本発明による故障修理支援プログラムは、コンピュータ（例えば、販売店端末を実現するパーソナルコンピュータ）に、携帯端末から、故障診断に必要な情報を受信して、受信した情報を、通信ネットワークを介して故障診断サーバに送信する処理と、故障診断サーバから診断結果を受信する処理と、診断結果を受信すると、その診断結果および故障依頼を、通信ネットワークを介して修理センタ端末に送信する処理とを実行させるように構成されていることを特徴とする。
【発明の効果】
【００１６】
本発明によれば、携帯端末の故障修理支援システムおよび故障修理支援方法が、故障診断サーバが、販売店端末から受信した情報にもとづいて故障診断を実行して、診断結果を販売店端末に送信し、販売店端末が、診断結果を受信すると、その診断結果および故障依頼を、通信ネットワークを介して修理センタ端末に送信するように構成されているので、販売店において携帯端末を受け付けたときに確実な故障診断がなされる上に、修理も迅速に終了させることができる。また、販売店端末が携帯端末に直接接続されるように構成されているので、販売店の店員がユーザから直接状況を聞き取ることができるようになり、故障診断の精度は高くなる。さらに、修理センタ端末が、診断結果も入手することができるので、修理の精度も向上する。
【発明を実施するための最良の形態】
【００１７】
実施の形態１．
以下、本発明の実施の形態を図面を参照して説明する。
図１は、本発明による携帯端末の故障修理支援システムの構成例を示すシステム構成図である。なお、以下の説明では、携帯端末として携帯電話機を例にするが、本発明は、携帯電話機に限らず、通信機能を搭載したＰＤＡその他の携帯型の通信端末に広く適用することができる。
【００１８】
図１に示すシステムには、携帯電話機の販売店に設置されている販売店端末２００、診断センタに設置されている故障診断サーバ３００、および修理センタに設置されている修理センタ端末４００が存在する。販売店端末２００、故障診断サーバ３００および修理センタ端末４００は、相互に、インターネットなどの通信ネットワーク５００を介して通信可能である。
【００１９】
図２は、販売店端末２００の構成例を示すブロック図である。図２に示す例では、販売店端末２００は、携帯電話機１００のデータ入力用のコネクタと接続可能であって、そのコネクタを介して携帯電話機１００とデータの送受信を行う携帯電話インタフェース２１、販売店の店員等が入力操作を行うためのキーボードなどの入力部２２、携帯電話機１００から故障診断のための情報を受信する処理を行う故障状況診断制御部２３、通信ネットワーク５００を介して他の装置と通信を行う通信部２４、ＣＲＴやＬＣＤによる表示部２５、および携帯電話機１００から受信した情報を一時記憶する記憶部２６を含む。なお、携帯電話機１００のデータ入力用のコネクタは、一般に、充電器接続用のコネクタと兼用されている。また、販売店端末２００は、例えば、携帯電話インタフェース２１が付加されたパーソナルコンピュータで実現可能である。その場合、故障状況診断制御部２３は、携帯電話機１００から故障診断のための情報を受信する処理を実行するためのプログラムとＣＰＵとで実現される。
【００２０】
図３は、故障診断サーバ３００の構成例を示すブロック図である。図３に示す例では、通信ネットワーク５００を介して他の装置と通信を行う通信部３１、故障診断を実行する故障診断部３２、故障診断を実行する者が入力操作を行うためのキーボードなどの入力部３３、ＣＲＴやＬＣＤによる表示部３４、および診断結果等を記憶するデータベース３５を含む。なお、故障診断部３２は、故障診断を実行するための故障診断プログラムと、サーバ装置のＣＰＵとで実現される。
【００２１】
次に、図４のシーケンス図を参照して、故障修理支援システムを利用した故障修理支援方法について説明する。
ユーザは、携帯電話機１００が故障が生じていると自己判断したときなどに、携帯電話機１００を販売店に持ち込む。販売店の店員は、ユーザの自己判断が誤りであって、単なる操作ミス等を故障と誤判断していることが明らかである場合には、その旨をユーザに説明して携帯電話機１００をユーザに返却する。
【００２２】
販売店の店員は、故障の可能性があると判断した場合に、携帯電話機１００を販売店端末２００に接続する（ステップＳ１０１）。その際に、販売店の店員は、ユーザから聴取した不具合内容（例えば、電源が入らないとか、通話ができないとか）を入力部２２から入力してもよい。そして、入力部２２から、診断要求を行う旨を入力する。故障状況診断制御部２３は、診断要求を行う旨の入力に応じて、通信部２４および通信ネットワーク５００を介して、故障診断サーバ３００に診断要求を送信する（ステップＳ１０２）。不具合内容が入力された場合には、それも故障診断サーバ３００に送信される。なお、不具合内容は、あらかじめ用意され表示部２５に表示される例えばチェックシートにおける項目にチェック（該当不具合項目にチェック）することによって入力されることが好ましい。また、販売店の店員から診断要求を行う旨が入力されなくても、故障状況診断制御部２３は、携帯電話機１００が接続されたことが検知されると、故障診断サーバ３００に診断要求を送信するようにしてもよい。
【００２３】
故障診断サーバ３００において、診断要求が受信されると、故障診断プログラムが起動する（ステップＳ１０３）。故障診断プログラムに従って動作する故障診断部３２は、まず、故障診断に必要な情報の要求を、通信部３１および通信ネットワーク５００を介して、販売店端末２００に送信する（ステップＳ１０４）。
【００２４】
販売店端末２００において、情報要求が受信されると（ステップＳ１０５）、故障状況診断制御部２３は、携帯電話インタフェース２１を介して、携帯電話機１００に、情報要求を送信する（ステップＳ１０６）。携帯電話機１００には、少なくとも、コネクタを介して情報要求が受信されると故障診断に必要な情報をコネクタを介して送信するプログラムが搭載されている。
【００２５】
故障診断に必要な情報として、例えば、以下のようなデータがある。
（１）携帯電話機１００に搭載されているソフトウェアのバージョン。
（２）携帯電話機１００にログ記憶機能が搭載されている場合には、不揮発性記憶手段に記憶されているログデータ。ログデータとして、例えば、正常動作している場合にはあり得ない状態に陥ったことを示すデータ、フリーズ状態が発生したときのアドレスや時刻等がある。フリーズ状態の発生は、例えば、携帯電話機１００に搭載されているＯＳがアプリケーションソフトウェア等の状態を監視してアプリケーションソフトウェア等が停止してしまっていることを検知することによって検出される。
（３）電源電圧値。
（４）電流値。
（５）通信履歴。ただし、ユーザが提出に同意したときにのみに収集される。
（６）電子メールの履歴。ただし、ユーザが提出に同意したときにのみに収集される。
【００２６】
なお、上記の（１）〜（６）は例示であって、故障診断に必要な情報として、他の情報を用いたり、上記の（１）〜（６）に他の情報が追加されてもよい。
【００２７】
携帯電話機１００が情報要求を受信すると、故障診断に必要な情報を収集して（ステップＳ１０７）、収集した情報を販売店端末２００に送信する（ステップＳ１０８）。販売店端末２００において、故障診断に必要な情報が受信されると、故障状況診断制御部２３は、その情報を、記憶部２６に記憶させるとともに、通信部２４および通信ネットワーク５００を介して故障診断サーバ３００に送信する（ステップＳ１０９，Ｓ１１０）。
【００２８】
故障診断サーバ３００において、故障診断に必要な情報が受信されると、故障診断部３２は、故障診断プログラムに従って故障診断を実施する（ステップＳ１１１）。なお、故障診断の専門家が、販売店端末２００から送信された情報にもとづいて故障が生じているか否かと故障が発生している可能性がある箇所を判断するようにしてもよい。
【００２９】
故障診断プログラムに従って自動的に故障診断を実施する場合には、例えば、（ｉｆ  現象  ｔｈｅｎ  どの故障）のようにルール化されたプログラムがあらかじめ作成され、故障診断部３２が、故障診断に必要な情報から把握される現象にもとづいて、どの故障が生じているのか判断する。なお、販売店端末２００から、店員が入力した不具合内容も送信された場合には、それも利用する。例えば、把握される現象の一つに加える。
【００３０】
故障診断部３２は、故障診断が終了すると、診断結果（例えば、故障なしを意味する情報、またはどの部分に故障の可能性があるかを示す情報）を、通信部３１および通信ネットワーク５００を介して、販売店端末２００に送信する（ステップＳ１１２）。
【００３１】
販売店端末２００において、診断結果が受信されると（ステップＳ１１３）、故障状況診断制御部２３は、表示部２５に診断結果を表示する。販売店の店員は、表示部２５に故障の可能性がある旨の表示がなされたら、入力部２２から、修理依頼を行う旨を入力する。故障状況診断制御部２３は、診断要求を行う旨の入力に応じて、通信部２４および通信ネットワーク５００を介して、修理センタ端末４００に修理依頼を送信する（ステップＳ１１４）。このとき、診断結果も修理センタ端末４００に送信する。また、携帯電話機１００から端末ＩＤを受信したり、端末ＩＤがバーコードとして印刷されている箇所を販売店の店員が読み取ったりして端末ＩＤが取得され、端末ＩＤも修理センタ端末４００に送信される。そして、販売店の店員は、ユーザから携帯電話機１００を預かり、それを修理センタに発送する。
【００３２】
故障診断サーバ３００から診断結果として故障なしを意味する情報が送信された場合には、販売店の店員は、その旨をユーザに伝えて、携帯電話機１００をユーザに返却する。
【００３３】
修理センタ端末４００において、修理依頼が受信されると、例えば、その旨が修理センタ端末４００の表示部に表示される（ステップＳ１１５）。そして、修理センタの修理担当者は、販売店から携帯電話機１００が到着すると、修理を実行し、修理が完了したら、修理担当者は、修理結果（修理箇所を示す情報等）を販売店端末２００に送信する（ステップＳ１１７）。また、修理後の携帯電話機１００販売店に発送する。販売店端末２００では、修理結果が受信されたら、例えば表示部２５に修理結果が表示される（ステップＳ１１８）。
【００３４】
以上のように、この実施の形態では、販売店端末２００が自動的に携帯電話機１００から故障診断に必要な情報を収集し、また、故障診断サーバ３００側で集中的に故障診断が実施される。さらに、修理センタには、故障診断サーバ３００側の診断結果が送信されてくるので、修理担当者は、故障診断サーバ３００側と連携して修理を実行することができる。その結果、販売店において携帯電話機１００を受け付けたときに確実な故障診断がなされる上に、修理も迅速に終了させることができる。また、販売店端末２００が携帯電話機１００に直接接続されるように構成されているので、ユーザは、販売店に赴く必要がある。よって、例えば、通信ネットワーク５００を介して販売店端末２００が携帯電話機１００に接続される場合と比較すると、この実施の形態では、販売店の店員がユーザから直接状況を聞き取ることができ、故障診断の精度は高くなる。
【００３５】
実施の形態２．
上記の実施の形態（第１の実施の形態）では、ユーザが携帯電話機１００が故障が生じていると自己判断したときなどに携帯電話機１００を販売店に持ち込むことを想定したが、さらに、携帯電話機１００に、不具合が生じたか否か判定するプログラム（例えば、ログ収集プログラム）とともに、不具合が生じたと判定したときに故障診断サーバ３００に不具合報告を送信するプログラムを搭載してもよい。その場合、携帯電話機１００は、例えば通信ネットワーク５００を介する電子メールで不具合報告を故障診断サーバ３００に送信する（図５参照）。
【００３６】
図６は、携帯電話機１００が不具合報告を故障診断サーバ３００に送信するように構成された場合の故障修理支援方法を示すフローチャートである。図６に示すように、携帯電話機１００は、不具合が生じたと判定したときに、その状況（例えば、ログデータ）を示す情報と端末ＩＤとを故障診断サーバ３００に送信する（ステップＳ２０１，Ｓ２０２）。
【００３７】
故障診断サーバ３００において、不具合状況を示す情報と端末ＩＤとが受信されると、故障診断部３２は、不具合状況を示す情報を端末ＩＤに対応させてデータベース３５に記憶する（ステップＳ２０３）。携帯電話機１００は、不具合が生じたと判定する度に、その都度、不具合状況を示す情報と端末ＩＤとを故障診断サーバ３００に送信する。従って、同一の携帯電話機１００から複数回不具合状況を示す情報が送信された場合に、それらは、データベース３５に蓄積される。
【００３８】
ユーザが、携帯電話機１００が故障が生じていると自己判断したときなどに携帯電話機１００を販売店に持ち込み、販売店の店員が故障の可能性があると判断して携帯電話機１００を販売店端末２００に接続したときに、販売店端末２００は、まず、携帯電話機１００に端末ＩＤを送信させる（ステップＳ２０４，Ｓ２０５）。なお、端末ＩＤがバーコードとして印刷されている箇所を販売店の店員が読み取ったりして端末ＩＤを取得してもよい。そして、この実施の形態では、販売店端末２００は、診断要求とともに端末ＩＤを故障診断サーバ３００に送信する（ステップＳ２０６）。
【００３９】
故障診断サーバ３００は、第１の実施の形態と同様に故障診断を実行するのであるが、この実施の形態では、データベース３５に蓄積されている不具合状況を示す情報も使用して故障診断を実行する（ステップＳ２１１）。例えば、故障診断プログラムが（ｉｆ  現象  ｔｈｅｎ  どの故障）のようにルール化されたプログラムで構成されている場合には、「現象」の部分に、不具合状況も含めることができる。なお、故障診断サーバ３００は、ステップＳ２０７において端末ＩＤも受信しているので、そこで受信した端末ＩＤにもとづいて、データベース３５から不具合状況を示す情報を抽出する。
【００４０】
図６に示すステップＳ２０１〜Ｓ２０７，Ｓ２１１以外の処理は、第１の実施の形態の場合と同様である。従って、第１の実施の形態の場合と同様に、この実施の形態でも、販売店において携帯電話機１００を受け付けたときに確実な故障診断がなされる上に、修理も迅速に終了させることができる。しかも、この実施の形態では、データベース３５に蓄積されている不具合状況を示す情報も使用して故障診断を実行するので、より確実な故障診断がなされる。
【００４１】
なお、この実施の形態では、不具合状況を示す情報と携帯電話機１００から販売店端末２００を介して故障診断サーバ３００に送信された情報との双方を利用して故障診断を行っているが、不具合状況を示す情報のみを利用して故障診断を行ってもよい。
【００４２】
実施の形態３．
第１および第２の実施の形態では、修理センタ端末４００には、販売店端末２００から、診断結果が供給されたが、その情報を、故障診断サーバ３００から修理センタ端末４００に送信するようにしてもよい。
【００４３】
例えば、図７のシーケンス図に示すように、販売店端末２００は、故障診断サーバ３００が送信した診断結果を受信すると（ステップＳ３１２，Ｓ３１３）、修理依頼のみを修理センタ端末４００に送信する（ステップＳ３１４）。修理センタ端末４００は、修理依頼を受信すると（ステップＳ３１５）、故障診断サーバ３００に診断結果を要求する（ステップＳ３１６）。故障診断サーバ３００は、要求に応じて、診断結果を修理センタ端末４００に送信する（ステップＳ３１７，Ｓ３１８）。その後、第１および第２の実施の形態と同様に修理が実行される。
【００４４】
また、第２の実施の形態では、故障診断サーバ３００においてデータベース３５に不具合状況を示す情報が蓄積されているので、その場合には、故障診断サーバ３００は、不具合状況を示す情報も修理センタ端末４００に送信するようにしてもよい。修理担当者は、不具合状況を示す情報も参考にすることによって、例えば診断結果には現れていないような箇所も念のためチェックするといったことができる。
【産業上の利用可能性】
【００４５】
本発明は、携帯電話機などの携帯端末の修理の受付を販売店などで行うようなシステムに有効に適用可能である。
【図面の簡単な説明】
【００４６】
【図１】故障修理支援システムの構成例を示すシステム構成図である。
【図２】販売店端末の構成例を示すブロック図である。
【図３】故障診断サーバの構成例を示すブロック図である。
【図４】第１の実施の形態の故障修理支援方法を示すシーケンス図である。
【図５】故障修理支援システムの構成例を示すシステム構成図である。
【図６】第２の実施の形態の故障修理支援方法を示すシーケンス図である。
【図７】第３の実施の形態の故障修理支援方法を示すシーケンス図である。
【符号の説明】
【００４７】
１００  携帯電話機
２００  販売店端末
３００  故障診断サーバ
４００  修理センタ端末
５００  通信ネットワーク
【図１】
2006244215.tif 000003
【図２】
2006244215.tif 000004
【図３】
2006244215.tif 000005
【図４】
2006244215.tif 000006
【図５】
2006244215.tif 000007
【図６】
2006244215.tif 000008
【図７】
2006244215.tif 000009